(57)【要約】【課題】  簡単な構成で、安定した制御信号を送ることができ、正確な受信を可能にするリモコン送信機を提供する。【解決手段】  電池等の直流電源１２と、直流電源１２と並列に接続されたコンデンサ１４を備え、直流電源１２に直列に接続された赤外ＬＥＤ１６とその駆動素子であるトランジスタ２０を有する。操作ボタン２４の操作に連動して、制御回路２２からの信号によりトランジスタ２０を駆動して赤外ＬＥＤ１６から赤外線パルス信号を送信する。コンデンサ１４と並列にスイッチング回路２６を設け、制御回路２２から赤外ＬＥＤ１６を駆動するトランジスタ２０に制御信号を送信する際に、その制御信号の送信直前にスイッチング回路２６にダミーパルス信号を送り、コンデンサ１４の充放電を行う。【選択図】図１
2006270213.tif 000002
【特許請求の範囲】
【請求項１】
直流電源と、この直流電源と並列に接続されたコンデンサを備え、前記直流電源に直列に接続された赤外ＬＥＤとその駆動素子を有し、操作部の操作に連動して、制御回路からの信号により前記駆動素子を駆動して前記赤外ＬＥＤから赤外線パルス信号を送信するリモコン送信機において、前記コンデンサと並列にスイッチング回路を設け、前記制御回路から前記赤外ＬＥＤの駆動素子に制御信号を送信する際に、その制御信号の送信直前に前記スイッチング回路にダミーパルス信号を送り、前記コンデンサの充放電を行うことを特徴とするリモコン送信機。
【請求項２】
前記スイッチング回路は、前記コンデンサと並列に接続されたトランジスタを備え、このトランジスタのベースに前記制御回路のダミーパルス端子が接続されていることを特徴とする請求項１記載のリモコン送信機。
【請求項３】
前記ダミーパルス信号は、前記制御信号の所定の制御信号コード毎にその発信直前に出力されることを特徴とする請求項１または２記載のリモコン送信機。
【発明の詳細な説明】
【技術分野】
【０００１】
この発明は、テレビ等のＡＶ機器や、エアコン等の電気製品をリモートコントロールするために赤外線パルス信号を送信するリモコン送信機に関する。
【背景技術】
【０００２】
従来、テレビ等を操作するリモコン送信機は、所望の操作の入力手段である押しボタンと、この押しボタンからの信号が入力されると、所定の制御信号を出力する制御回路とを備えている。制御回路は、ＩＣ化されてリモコン送信器内に収納され、所定の押しボタン操作があると、所定のパルス信号を受信機に向けて送信する。そして、受信機には、赤外線受けるフォトトランジスタが設けられ、送信機からの赤外線パルス信号に基づいて、所定の制御や操作を行う。
【０００３】
リモコン送信機から発信される赤外線による制御パルス信号は、特許文献１、２等に開示されているように、信号照射の意図を受信機側に知らせるために、信号の頭にヘッダー部またはガイドパルスといわれる信号部があり、この後データコード等の制御データ部のパルス信号が送られる。
【０００４】
また、ワイヤレスのリモコン送信機は駆動電源として乾電池や充電池等の直流電源を備え、赤外線信号を出力する赤外ＬＥＤは、赤外線の到達距離を稼ぐために光量を大きくする必要があり、赤外ＬＥＤに流す電流は抵抗で調整するとともに、電解コンデンサ等を電源と並列に組み込み赤外ＬＥＤの駆動電流を補っている。さらに、このコンデンサにより、赤外ＬＥＤに供給される電流の変動を吸収し、制御回路へのノイズやリプル変動を吸収し印加電圧変動を抑えている。
【特許文献１】特開平７−３８９８０号公報
【特許文献２】特開平１１−２８５０８６号公報
【特許文献３】特開平２００３−２４３７１１号公報
【発明の開示】
【発明が解決しようとする課題】
【０００５】
上記従来の技術の場合、コンデンサを電源と並列に組み込んだとしても、送信機からの信号の送信当初とその後の段階では、赤外ＬＥＤに流れる信号パルス電流に差が生じていた。即ち、図４の信号構成図、及び図５の拡大図に示すように、コンデンサへの充電により、各信号コード毎に送信当初のパルス信号電圧が最も高くなりその後漸減し、コンデンサの充放電が平衡状態になると安定する。従って、信号の送信当初とその後では赤外線の光量に差が生じ、受信機側では安定的に正確に受信できないという問題があった。
【０００６】
この解決方法としては、コンデンサの容量を大きくすることにより、変動の少ない信号を送ることができるが、コンデンサのスペースを多く必要とし、コストもかかるものである。また、電気二重層コンデンサを用いることによりスペースの増大はほとんど無いが、この場合もコストが上がるという問題があった。
【０００７】
この発明は上記従来の技術の問題点に鑑みてなされたものであり、簡単な構成で、安定した制御信号を送ることができ、正確な受信を可能にするリモコン送信機を提供することを目的とする。
【課題を解決するための手段】
【０００８】
この発明は、電池等の直流電源と、この直流電源と並列に接続されたコンデンサを備え、前記直流電源に直列に接続された赤外ＬＥＤとその駆動素子を有し、操作部の操作に連動して、制御回路からの信号により前記駆動素子を駆動して前記赤外ＬＥＤから赤外線パルス信号を送信し、電気製品等の機器をリモートコントロールするリモコン送信機であって、前記コンデンサと並列にスイッチング回路を設け、前記制御回路から前記赤外ＬＥＤの駆動素子に制御信号を送信する際に、その制御信号の送信直前に前記スイッチング回路にダミーパルス信号を送り、前記コンデンサの充放電を行うリモコン送信機である。
【０００９】
前記スイッチング回路は、前記コンデンサと並列に接続されたトランジスタを備え、このトランジスタのベースに前記制御回路のダミーパルス端子が接続されているものである。また、前記ダミーパルス信号は、前記制御信号の所定の制御信号コード毎にその発信直前に出力されるものである。
【発明の効果】
【００１０】
この発明のリモコン送信機は、常に安定した制御信号を送ることができ、受信機側では正確な受信を可能にし、正確で安定した制御が可能となる。しかも、構成が簡単でありコストもほとんどかからないものである。
【発明を実施するための最良の形態】
【００１１】
以下、この発明の実施の形態について図面に基づいて説明する。図１〜図３はこの発明の一実施形態を示すもので、この実施形態のリモコン送信機１０は、乾電池や充電電池等の直流電源１２と、この直流電源１２と並列に接続された電解コンデンサ等のコンデンサ１４を備える。直流電源１２の＋側端子には、直列に赤外ＬＥＤ１６のアノードが接続され、カソードは抵抗１８を介して、駆動素子であるｎｐｎ型のトランジスタ２０のコレクタに接続されている。このトランジスタ２０のエミッタは接地され、ベースは制御用ＩＣである制御回路２２の制御用端子に接続されている。
【００１２】
制御回路２２は、操作部である押しボタン等の操作ボタン２４に接続され、操作ボタン２４のオン−オフにより制御信号を出力する。
【００１３】
コンデンサ１４には、並列にスイッチング回路２６が接続されている。スイッチング回路２６は、ｎｐｎ型のトランジスタ３０を備え、コンデンサ１４の一端と直流電源１０の＋側端子に、抵抗２８を介してトランジスタ３０のコレクタが接続されている。このトランジスタ３０のエミッタは接地され、ベースは抵抗３２を介して、制御回路２２のダミーパルス端子に接続されている。
【００１４】
この実施形態のリモコン送信機１０の動作は、操作ボタン２４の押圧動作により、まず制御回路２２のダミーパルス端子からトランジスタ３０のベースに、ダミーパルス信号が送信される。ダミーパルス信号は、所定の操作ボタンの押圧により制御回路２２からトランジスタ２０へ送信される一連の制御信号である制御信号コード群の、各ヘッダー信号コード部、データコード部等の制御信号コード毎に、その発信直前に所定の短期間出力される。このダミーパルス信号は、制御信号とオン−オフ期間がほぼ等しいものである。これにより、所定の短期間コンデンサ１４の充放電を行わせ、コンデンサ１４の充放電を平衡状態にし、出力を安定化する。
【００１５】
この後、制御回路２２からトランジスタ２０のベースに、制御信号である赤外ＬＥＤ１６の駆動パルス信号が送られ、この駆動パルス信号はトランジスタ２０で増幅されて、赤外ＬＥＤ１６に駆動パルス電流を流す。これにより赤外ＬＥＤ１６から赤外線パルス信号が送信される。
【００１６】
この実施形態のリモコン送信機１０は、図２に示すように、操作ボタン２４の操作に伴う制御信号の送信に際して、所定の制御信号コード毎に先立って、制御回路２２からスイッチング回路２６のトランジスタ３０に、制御信号と同様のダミーパルス信号を送り、コンデンサ１４の充放電を制御信号の送信直前に行わせ、コンデンサ１４の出力を安定状態にし、その後、制御信号による制御パルス信号が出力される。従って、トランジスタ２０により駆動される赤外ＬＥＤ１６に流れる電流は、図３に示すように、コンデンサ１４の充放電が平衡状態であり安定しており、赤外ＬＥＤ１６の赤外光の強さがほぼ一定のものとなる。よって、安定した赤外ＬＥＤ１６の発光により確実な受信が可能となるものである。
【００１７】
なお、この発明のリモコン送信機は、上記実施形態に限定されるものではなく、スイッチング回路の構成は適宜設定されるもので、赤外ＬＥＤの駆動素子も適宜選択可能である。
【図面の簡単な説明】
【００１８】
【図１】この発明の一実施形態のリモコン送信機の概略回路図である。
【図２】この実施形態のリモコン送信機の制御信号を示す概略図である。
【図３】この実施形態の制御信号の拡大パルス波形図である。
【図４】従来のリモコン送信機の制御信号を示す信号構成図である。
【図５】従来の制御信号の拡大パルス波形図である。
【符号の説明】
【００１９】
１０  リモコン送信機
１２  直流電源
１４  コンデンサ
１６  赤外ＬＥＤ
１８，２８  抵抗
２０，３０  トランジスタ
２２  制御回路
２４  操作ボタン
２６  スイッチング回路
【図１】
2006270213.tif 000003
【図２】
2006270213.tif 000004
【図３】
2006270213.tif 000005
【図４】
2006270213.tif 000006
【図５】
2006270213.tif 000007